(57)【要約】      （修正有）【課題】屋根上から人または物が落下するのを防止するための屋根上作業用落下防止具の提供を課題とする。【解決手段】屋根上作業用落下防止具は親綱支柱２８と連結固定金具２７と補助金具１１と親綱１５または網からなり、連結固定金具２７または補助金具１１を軒先１６に固定する。連結固定金具２７を雨樋受け金具１４に取付けるか、またはそれがなき場合には野地（１６，１７）に釘等にて補助金具１１を屋外方向へほぼ水平になるように取付ける。親綱支柱下部の安定リブ９を破風１８、または垂木１９にあて迂回リブ８により屋外方向へ突出させ、立設リブ７を垂直に立てクランプ１３で連結固定金具２７または補助金具１１と緊結する。立設リブ７は屋根の軒先１６の外側に沿って一定の間隔で起立しており、この親綱支柱２８に親綱１５または網で張設することを特徴とする屋根上作業用落下防止具。【選択図】図５
2007146510.tif 000002
【特許請求の範囲】
【請求項１】
破風１８または垂木１９に当てる為の安定リブ９、親綱１５を張る立設リ７、障害物を迂回する迂回リブ８を有する親綱支柱２８と、雨樋受け金具１４と連結固定する連結固定金具２７と、補助金具１１と、親綱１５と、クランプ１３の一組からなり、連結固定金具２７は雨樋受け金具１４に外側方向へ突出状に設け、雨樋受け金具１４が設置されていない時は屋根軒先（１６，１７）の野地板に釘等にて補助金具１１を外側方向へ突出状に設け、親綱支柱２８の安定リブ９を破風１８または垂木１９に当て立設リブ７を垂直に立設するよう親綱支柱２８と連結固定金具２７または補助金具１１とをクランプ１３を使い緊結させると共に、立設リブ７は屋根から起立しておりそれら前記親綱支柱２８を屋根の軒先（１６，１７）の外側に沿って一定の間隔で立設するように構成し、この並列した複数の親綱支柱２８に対して親綱１５または網を張設することにより地上からの支柱を必要とせず落下を防止することを特徴とする屋根上作業用落下防止具。
【発明の詳細な説明】
【技術分野】
【０００１】
本発明は、屋根上作業を行うに際して、作業者や物が誤って落下を防止するための作業用落下防止具とその構築方法に関するものである。
【背景技術】
【０００２】
安全に屋根作業を行うため、家屋の新築時または全面に亘っての外部工事には必ず本足場が全面に構築されるので、屋根作業を安全に行うことができたが、屋根の葺き替えや雨漏りの修理などを行う場合には、屋根上作業者が命綱を付けたり、或いは、急傾斜の屋根のリフォームなどに際しては、必要に応じて本足場を組立てて、その本足場の軒上の支柱部分に防護枠を組み付けることも行われていた。
【０００３】
しかしながら屋根上作業の際は、命綱を付けた場合には、足場の不安定な作業条件の上に、命綱によって動作が拘束されて自由に作業できないので、作業性がさらに悪くなって作業能率の低下を来すことになる。一方、家屋の軒先に転落防護柵を直接取付けると、家屋外部表面に釘孔が生じ好ましくない。従来の転落防止用具も足場を必要とせず、簡易で組立て可能であるが、取付け可能な屋根の形状に制限が多くあり、また家屋外部表面に固定用の釘孔を開けなければならず、さらに屋根工事中には邪魔になり一度取外さなくてはならなかった。
【０００４】
また、本足場を組立てる場合には、屋根上作業を行うためだけに新築時と同様の足場を組立てることになり部材コストや運搬費が高くなるとともに、組立てに時間がかかるので経費が高くつく。また、狭所地に本足場を組み立てる場合には、起重機が必要となり、さらに経費か高くつく。
【０００５】
この改善策として、家屋軒先（１６，１７）に設置されている雨樋受け金具１４に連結固定金具金具部３０を締め付け固定し連結棒３１を家屋外側方向へ突出させる様に連結固定金具金具部３０と緊結して、クランプ１３を使用して親綱支柱２８を連結固定し立設して、それら複数の親綱支柱２８に親綱１５または網を張設する。雨樋受け金具１４が設置されていない場所では、屋根軒先下地部等、工事終了後隠れる部分に釘等にて補助金具１１を取付けクランプ１３を使用して親綱支柱２８と連結固定する。補助金具１１を屋根軒先下地部等、工事終了後隠れる部分に取付けることにより釘孔が生じるが、家屋外部表面に損傷や破損されることがない。
【０００６】
親綱支柱は安定リブ９を破風１８、または垂木１９のどちらか片方にあて迂回リブを軒先方向に突出させ立設リブを垂直になるように立設して立設リブにクランプ１３を使用して連結固定金具と緊結する。親綱支柱と連結固定金具の固定にはクランプ１３を使用することにより交換可能となり、多種多様の形状に対応できるようになる。 立設リブ７は屋根から起立しておりそれら親綱支柱を屋根の軒先の外側に沿って一定の間隔で立設するように構成し、この並列した複数の親綱支柱に対して親綱１５または網で繋ぐことで人または物の落下を防ぎ、地上からの支柱を全く必要としない。
【特許文献１】特開平０７−３００９６０号公報
【発明の開示】
【発明が解決しようとする課題】
【０００７】
この発明は、屋根工事の際に屋根上から人、物が落下するのを防止し、それでいて地上からの支柱を必要としないように軒先に設置されている雨樋受け金具１４を利用した屋根上作業用落下防止具を提供することを目的とする。
【課題を解決するための手段】
【０００８】
本発明は、家屋屋根工事での作業者、物が屋根から落下するのを防止するための屋根上作業用落下防止具であって、複数本の連結固定金具２７と複数本の親綱支柱２８とクランプ１３、親綱１５または綱と補助金具１１有する。
【０００９】
連結固定金具金具部３０の両側には、軒先に設置されている雨樋受け金具１４に締め付け固定する断面形状が四角状もしくは楕円状の抜け防止用の突起２３が付いたＪ型状締め付け金具２と、Ｊ型状締め付け金具２を水平方向に移動できるためのスライド穴２１があり、なおかつＪ型状締め付け金具２を回転不可能な厚みでいて、その一端はＪ型状締め付け金具２の向きを変えるため厚みより大きい円状なっているものが設けてある。これら前記の金具部３０を水平方向に設置すると共に、軒先１６に設置されている雨樋受け金具１４に、Ｊ型状締め付け金具２を使い締め付け固定をさせる。雨樋受け金具１４の設置幅は、その建物により均一ではなく、不規則的なためＪ型状締め付け金具２は移動が可能になっている。また、雨樋受け金具１４自体も様々な形状があるが、金具部３０は連結棒３１の先端が回転稼動可能になっているために、上方下方側面からの取付けに対応、さらにＪ型状締め付け金具２は締め付けると、スライド穴２１に食い込むようになっており様々な厚みに対応する。これにより雨樋一体型をのぞく雨樋受け金具２１に対応できる。連結棒３１は家屋外側方向へ突出状に設ける様連結固定し、親綱支柱２８と連結固定金具２７の連結には、クランプ１３を使用し緊結する。
【００１０】
複数本の親綱支柱２８は、家屋に固定された連結固定金具２７と緊結する。連結固定金具２７は前記の連結固定金具２７を使用し家屋軒先に設置されている雨樋受け金具１４に連結固定金具金具部３０を締め付け固定し連結棒３１を家屋外側方向へ突出させる様に連結固定金具金具部３０と緊結して、クランプ１３を使用して親綱支柱２８と連結固定する。雨樋受け金具１４が設置されていない場所では、屋根軒先下地部等、工事終了後隠れる部分に釘等にて補助金具１１を取付け、クランプ１３を使用して親綱支柱２８と連結固定する。それぞれの親綱支柱２８においてその下半部を安定リブ９としてその中途部を迂回リブ８として軒先 の外側まで突出迂回させ、且つ上半部を立設リブとして軒先１６ の外側まで突出させた迂回リブ８の先端から上方へ向けて延長させることで、複数本の親綱支柱２８の各立設リブ７を軒先１６ の外側に沿って一定の間隔で立設するように構成し、この並列した複数の立設リブ１６に対して親綱１５または網を張り落下するのを防止する。また、親綱支柱と連結固定金具の固定にはクランプ１３を使用することにより、連結固定金具２７と補助金具１１の取替えが容易でありかつ安価で多種多様の形状に対応できるようになる。また、親綱支柱下部の安定リブ７が本体の安定性を出す事により、補助金具１１を屋根側面ではなく野地板等、工事終了後隠れる部分に釘などで設置できる。
【発明の効果】
【００１１】
上記構造の本発明落下防止具は、次に記載する効果を奏する。
【００１２】
本発明の効果として、親綱支柱２８、連結固定金具２７または補助金具１１、雨樋受け金具１４を互いに簡単な手段で迅速に連結でき、連結固定金具２７は、軒先の形状、雨樋受け金具１４の形状、取付け間隔に関係なく相違又はばらつきに応じて回動、スライドすることにより、軒先の雨樋受け金具１４と親綱支柱２８とを確実に緊結させることができる。さらに、連結固定金具２７に筋交い６、親綱支柱２８に安定リブ９を備えているので、親綱支柱２８を一層安定に立設することができる。
【００１３】
また、Ｌ字状の安定リブ９の内面に弾力性と吸着性とを有する当接部材を設ければ、軒先に対しさらに損傷を与えないよう保護しながら、強固に固定することができ安全性がさらに高まる。また、雨樋受け金具１４がなくても親綱支柱に回動自在に緊結された補助金具１１を備えれば、親綱支柱８を２８定させるに際して工事後に隠れる軒先（１６，１７）のわずかな部分に釘等で親綱支柱２８を固定できる。同様に、屋根軒先（妻側）１７にも補助金具１１を使い立設すれば、屋根全体を親綱１５もしくは網で確実に取り囲むことができるから、工事現場をより一層安全にできる。
また、運搬、取付け、取外しを容易に、且つ迅速に行える。連結固定金具２７は雨樋受け金具１４にＪ型状締め付け金具２で締めて固定するだけであるから、家屋外部表面に対しては変形などの損傷を与えることがない。さらに、本落下防止具は、パイプなどからなり安価な材料コストで製作できる。また、少人数の作業者であっても短時間で組立てることができ、経費が安くつく。
【発明を実施するための最良の形態】
【００１４】
この屋根上作業用落下防止具は建物の軒先に雨樋受け金具が設置されていれば良い。
【００１５】
本発明による屋根上作業用落下防止具の実施例を図を参照して説明する。
【００１６】
本落下防止具は図４（ｂ）に示すように、家屋に設置されている雨樋受け金具１４に締め付け固定するための連結固定金具２７と、破風１８外側、または垂木１９裏に安定リブ９をあてて起立させる親綱支柱２８と、親綱支柱により張設される親綱１５または網と、図７に示すように雨樋受け金具１４がないところで親綱支柱２８の起立状態を安定保持するための補助金具１１から構成されている。
【００１７】
図４（ａ）に示すように連結固定金具２７はスライド穴付きパイプ１、筋交い６、緊結金具付きパイプ５、Ｊ型状締め付け金具２、スライド穴２１、抜け防止付きＪ型状フックボルト３、手動ナット４からなる。スライド穴付きパイプ１とＪ型状締め付け金具２は、図３ｂに示すようにＪ型状締め付け金具２を移動させかつ家屋に設置されている雨樋受け金具１４に締め付け固定するために、スライド穴２１に食い込むようになっており、手動で締め付ける。緊結金具付きパイプ５は図４（ａ）に示すように、スライド穴付きパイプ１を縦回転可能にするため緊結金具３２が先端に付いており雨樋受け金具１４とスライド穴付きパイプ１を連結した後に家屋外側方向へ突出させる様にして水平に近くなる角度で緊結する。また、緊結金具付きパイプ５には、親綱支柱を安定固定するため筋交い用のパイプ６も付いており、連結固定金具本体とこの筋交い用のパイプ６を、クランプ１３を用いて二箇所で緊結固定する。
【００１８】
連結固定金具２７と親綱支柱２８の連結はクランプ１３を使用して、親綱支柱２８を軒先１６に沿ってほぼ直立するよう立設リブに二箇所で緊結固定する。雨樋受け金具１４と親綱支柱２８のそれぞれに、２箇所止めになっているため力を分散しなおかつ強力に固定する。
【００１９】
親綱支柱２８は図４（ｂ）に示すように、破風１８外側、または垂木１９裏にあてて親綱支柱を安定させる安定リブ９と、雨樋受け金具などを迂回させ尚且つ起立させる迂回リブ８と、親綱５もしくは網が固定できる通し穴１０がある立設リブがある。
【００２０】
図４（ｂ）に示すように、親綱支柱下半部を迂回リブ８安定リブ９として屋根本体の軒先１６雨樋受け金具２１に連結固定金具２７で固定すると共に破風１８もしくは垂木１９裏にL型状の金具が付いた安定リブ９をあて安定させ、雨樋受け金具などを迂回リブ８で迂回させ尚且つ起立させ屋根軒先１６ の外側まで突出させ上方へ向けて延長させることで、上半部を立設リブ７として複数本の各親綱支柱を軒先（１６、１７）の外側に沿って一定の間隔で立設するように構成しこの並列した複数の立設リブ７に対して親綱１５また網を張り落下するのを防止する。親綱１５は人の落下を阻止するために、また網は、人もしくは物の落下を阻止するために親綱支柱２８により保持されて張設するもので上下両端部に沿って張設する。なお網は取付け用にフックを付けて支柱部の親綱通し穴１０に引っ掛けるか、または親綱１５を張設後に紐などで結束する。フック付の場合は親綱通し穴１０に引っ掛け通して、網体を支持体に取付けるために使用するものである。なお立設リブの親綱通し穴１０は、支持体の内側に取付ける親綱１５または網体に対応して支持体の内側（屋根側）に向けて設けてある。
【００２１】
図７で示すように雨樋受け金具１４が無い所では補助金具１１を使い、親綱支柱２８の起立状態を不動に保つためのもので、補助金具１１は二股に分かれておりそれを屋根の軒先端（１６、１７）の野地部分に釘等で固定する。親綱支柱の下半部の安定リブ９を破風１８もしくは垂木１９裏にあたるようにした所で、親綱支柱を軒先１６に沿ってほぼ直立するようクランプ１３を用いて立設リブに緊結固定する。そして先に述べた親綱１５または網を同じように取付ける。
【００２２】
本発明落下防止具を前述したように組立てると、親綱支柱２８はほぼ直立状態となるので、軒先（１６、１７）から身を乗り出すことなく、親綱１５または網体を親綱通し穴１０に安全に取付けることができる。また本発明落下防止具の取外し作業は、屋根工事をした後に取付けの逆の順序で外してゆく。
【図面の簡単な説明】
【００２３】
【図１】連結固定金具のＪ型状締め付け金具２を雨樋受け金具１４に締め付ける実施方法を示した説明図である。
【図２】補助金具１１の立体図を示した説明図である。
【図３】連結固定金具２７のＪ型状フックボルト３をスライド穴２１に入れる図を示した説明図である。
【図４】連結固定金具２７の立体図を示した説明図である。
【図５】連結固定金具２７を使った落下防止具の実施方法を示した説明図である。
【図６】連結固定金具２７と補助金具１１を使った落下防止具の実施方法を示した説明図である。
【図７】補助金具１１を使った屋根軒先（妻側）１７への落下防止具の実施方法を示した説明図である。
【符号の説明】
【００２４】
１：スライド穴付きパイプ
２：Ｊ型状締め付け金具
３：Ｊ型状フックボルト
４：手動ナット
５：緊結金具付きパイプ
６：筋交いパイプ
７：立設リブ
８：迂回リブ
９：安定リブ
１０：親綱通し穴
１１：補助金具
１２：釘穴
１３：緊結金具
１４：雨樋受け金具
１５：親綱
１６：屋根軒先
１７：屋根軒先（妻側）
１８：破風
１９：垂木
２０：雨樋
２１：スライド穴
２２：ボルト
２３：抜け防止用突起
２４：単管
２５：布板
２６：ベースジャッキ
２７：連結固定金具
２８：親綱支柱
２９：落下防止具
３０：連結固定金具２７金具部
３１：連結棒
３２：角度調節金具  
【図１】
2007146510.tif 000003
【図２】
2007146510.tif 000004
【図３】
2007146510.tif 000005
【図４】
2007146510.tif 000006
【図５】
2007146510.tif 000007
【図６】
2007146510.tif 000008
【図７】
2007146510.tif 000009